(57)【特許請求の範囲】
【請求項１】
中空管状体の外壁及び内壁を含む表面に設けられ、少なくとも前記中空管状体の外壁が固着していないラテックス層の表面弾性層と、前記中空管状体の外壁の前記表面弾性層と中空管状体表面との間に気体を注入可能に立設された中空状の気体注入路と、前記中空管状体の中空部に貫通するように設けられるエアーホースと、前記気体注入路よりの気体注入による前記中空管状体の外壁の前記表面弾性層の膨張を抑制するため、前記表面弾性層と遊嵌して設けられる抑制管とを備えたことを特徴とするピンホール検査治具。
【請求項２】
中空管状体の外壁に気体注入路を形成するためのピンを立設する工程、前記中空管状体の少なくとも外壁に離型剤を混入したラテックス凝固剤を塗布する工程、前記中空管状体をラテックス溶液に、前記立設したピンが全没しないように浸漬する工程、前記中空管状体を取り出してラテックスを硬化する工程、前記ピンを取り外す工程、形成されたラテックス層の表面弾性層の膨張を抑制するための抑制管を遊嵌する工程を含むことを特徴とするピンホール検査治具の製造方法。
【発明の詳細な説明】
【０００１】
【産業上の利用分野】
本発明はピンホール検査治具及びその製造方法、さらに詳細には袋状体のピンホールの有無を効率良く検査する装置に関する。
【０００２】
【従来技術及び問題点】
従来、ゴム製の袋状体、たとえばプラスチック成型法のうちの内圧成形法、すなわち内側から空気圧を負荷して、プラスチックを成形する成形法に使用されるプレッシャーバックは空気漏れを起こすと、前記プラスチックの成型に悪影響を及ぼすことから、ピンホールの有無を検査することが行われている。
【０００３】
このようなピンホールの有無の検査は、従来、所定圧の空気を放出するエアーホースの先端のノズルに前記袋状体を被せ、次いで被せた箇所をテープなどによって押圧して密封するとともに、空気を吹き込み、所定時間後の袋状体の圧力が所定圧以下にならないものを合格としている。
【０００４】
この場合、まず第一にノズルの径と袋状体の径はほとんど同じ（空気の洩れを防止するため）であるため、前記ノズルに袋状体を被せにくく、さらに被せた箇所から空気が漏れないように前記箇所をテープなどを巻いて密封する必要が有り、能率良く検査が行えないという欠点がある。
【０００５】
本発明は上述の問題点に鑑みなされたものであり、袋状体のピンホールの有無を効率良く検査可能なピンホール検査治具及びその製造方法を提供することを目的とする。
【０００６】
【問題点を解決するための手段】
上記問題点を解決するため、本発明によるピンホール検査治具は、中空管状体の外壁及び内壁を含む表面に設けられ、少なくとも前記中空管状体の外壁が固着していないラテックス層の表面弾性層と、前記中空管状体の外壁の前記表面弾性層と中空管状体表面との間に気体を注入可能に立設された中空状の気体注入路と、前記中空管状体の中空部に貫通するように設けられるエアーホースと、前記気体注入路よりの気体注入による前記中空管状体の外壁の前記表面弾性層の膨張を抑制するため、前記表面弾性層と遊嵌して設けられる抑制管とを備えたことを特徴とする。
【０００７】
また、本発明によるピンホール検査治具の製造方法によれば、中空管状体の外壁に気体注入路を形成するためのピンを立設する工程、前記中空管状体の少なくとも外壁に離型剤を混入したラテックス凝固剤を塗布する工程、前記中空管状体をラテックス溶液に、前記立設したピンが全没しないように浸漬する工程、前記中空管状体を取り出してラテックスを硬化する工程、前記ピンを取り外す工程、形成されたラテックス層の表面弾性層の膨張を抑制するための抑制管を遊嵌する工程を含むことを特徴とする。
【０００８】
本発明によれば、中空管状体の表面に形成された表面弾性層に検査をする袋状体を被せたのち、前記表面弾性層を膨張させて被せた箇所を密閉し、エアホースより空気を注入することができるため、ピンホールの検査が効率良くできるという利点がある。
【０００９】
【実施例】
図１は本発明のピンホール検査治具の一実施例の断面図であるが、この図より明らかなように、本発明によるピンホール検査治具は、たとえばアルミニウム製の中空管状体１の外壁及び内壁を覆うように表面弾性層２が設けられており、前記表面弾性層２には、前記中空管状体１の外壁と表面弾性層２との間に気体を注入するための気体注入路３が形成されている。
【００１０】
この表面弾性層２を覆うように抑制管４が遊嵌して設けられているとともに、前記中空管状体１の中空部１１には、検査する袋状体５中に気体を注入するエアーホース６が挿入されるようになっている。
【００１１】
図２は本発明によるピンホール検査治具の製造方法を示すものであるが、この図より明らかなように、本発明によるピンホール検査治具は、中空管状体１の外壁の所定位置に、気体注入路を形成するためのピン７を立設する。このピン７は後の工程において取り外す必要があることから、前記外壁に脱着自在に取り付ける（（ａ）工程参照）。次いで、ピン７の表面および中空管状体１の少なくとも外壁に（好ましくは内壁まで）離型剤を混入したラテックス凝固剤を塗布したのち、このピン７を取り付けた中空管状体１をラテックス溶液８中に浸漬する。このとき、ピン７は全没しないように上部がラテックス溶液８より突出するように浸漬する（（ｂ）工程参照）。このように中空管状体１をラテックス溶液８中に浸漬すると、凝固剤が塗布された表面にラテックス層が形成される（（ｃ）工程参照）。
【００１２】
こののち前記中空管状体１をラテックス溶液８より取り出し、硬化せしめた後ピン５を取り外すと、中空管状体１の表面に気体注入路３が設けられた表面弾性層２が形成される（（ｄ）工程参照）。上述のようにラテックス凝固剤に離型剤が添加されているため、表面弾性層２と中空管状体１外壁は接着されることはない。
【００１３】
このような中空管状体１としては、本発明において基本的に限定されるものではなく、たとえばアルミニウム製であることができる。また表面弾性層２を形成するラテックスとしては、たとえば天然ゴムラテックスを使用することができ、この場合ラテックス凝固剤としては、硝酸カルシウム、塩化カルシウムなどのメタノールなどのアルコール溶液を使用することができる。さらに離型剤としては炭酸カルシウムを有効に使用できる。
【００１４】
本発明によるピンホール検査治具を使用する場合、図３に示すように、たとえばゴム製の袋状体５の開口部を中空管状体１の表面弾性層２上に嵌め込む。このとき袋状体の開口部の径は中空管状体１の径よりも大きくてよい。このように袋状体の開口部の径が大きいため、前記中空管状体１に容易に嵌め込むことが可能である。
【００１５】
このように袋状体５を嵌め込んだ後、気体注入路３より中空管状体１の外壁と表面弾性層２との間に気体、たとえば空気を吹き込むと、前記表面弾性層２は中空管状体１の外壁と接着していないので空気圧によって膨張して、前記袋状体５の開口部付近を広げて抑制管４の内壁に押し付けることになり、前記開口部付近はシールされることになる。
【００１６】
このような状態で中空管状体１の中空部１１に挿入されたエアホース６より袋状体５内に気体を注入し、所定時間後の気体圧を測定することによりピンホールの有無を検査する。このとき、ガイド９を使用するのがよい。図４はこのガイド９の断面図であるが、ガイド９は断面コの字状になっており、内壁に滑り止め用の凹凸９１が形成してある。この凹凸９１の代りに布あるいは紙などを貼着してもよい。この凹凸９１は滑り止めであるとともに、袋状体５のピンホールを塞いで正確な検査ができなくなることを防止する作用も行う。このようなガイド９を設けることによって、気体の注入された袋状体５の自由膨張が抑制でき、袋状体５の一部が所望しないような常態で膨張することがなくなり良好に検査が可能になる。
【００１７】
検査を終了した後、前記気体注入路３より気体を排出すれば、前記表面弾性層２は収縮して、元の状態に戻るため、袋状体５を容易に取り外すことが可能である。
【００１８】
【発明の効果】
以上説明したように、本発明によるピンホール検査治具によれば、膨張する表面弾性層と抑制具によって袋状体の開口部をシールするようにしたため、検査する袋状体の装着及び取り外しが容易になり、検査作業が効率的になるという利点がある。
【図面の簡単な説明】
【図１】本発明によるピンホール検査治具の断面図。
【図２】本発明によるピンホール検査治具の製造方法を説明するための工程図。
【図３】本発明によるピンホール検査治具の使用法を説明するための断面図。
【図４】使用時に用いられるガイドの断面図。
【符号の説明】
１        中空管状体
２        表面弾性層
３        気体注入路
４        抑制管
５        袋状体
６        エアーホース
７        ピン
８        ラテックス溶液
９        ガイド
【図１】
0003812777.tif 000002
【図２】
0003812777.tif 000003
【図３】
0003812777.tif 000004
【図４】
0003812777.tif 000005